(57)【特許請求の範囲】
【請求項１】
車室外の空気を空調用空気として導入する外気導入口と、車室内の空気を空調用空気として導入する内気導入口とが形成されたケーシングと、
上記外気導入口及び上記内気導入口を開閉する内外気切替ドアと、
上記内外気切替ドアを駆動するドア駆動装置とを備え、
車両に搭載されて上記空調用空気を送風する送風装置において、
上記ケーシングは、車両前後方向の中間部において前側ケーシング部材と後側ケーシング部材とに分割され、
上記ケーシングの上部には、上記外気導入口に連通する外気導入ダクト部が上方へ突出するとともに車両前側へ延びるように設けられ、
上記外気導入口及び上記内気導入口は、上記ケーシングの車両前後方向に延びるように形成され、
上記内外気切替ドアは、車両前後方向に延びるとともに上記ケーシングに回動可能に支持される回動軸を有し、該回動軸には、上記外気導入口及び上記内気導入口を開閉する開閉板部が設けられ、
上記後側ケーシング部材における車両後側の壁部には、上記空調用空気を濾過するためのフィルタを上記ケーシングの内部に挿入するためのフィルタ挿入孔が上記回動軸よりも下に形成され、
上記ドア駆動装置は、上記内外気切替ドアの上記回動軸に連結されるとともに、上記後側ケーシング部材における車両後側の壁部に取り付けられ、該ドア駆動装置の下端部は、上記フィルタ挿入孔の上縁部よりも上に位置付けられ、
上記送風装置の内部には、上記外気導入口及び上記内気導入口に連通し、空調用空気が流通する第１通路と第２通路とが上下に並ぶように形成され、
上記第１通路及び上記第２通路には、上記空調用空気を送風する第１ファン及び第２ファンが配設されていることを特徴とする送風装置。
【請求項２】
請求項１に記載の送風装置において、
上記外気導入口及び上記内気導入口が上記ケーシングの車両左右方向に並ぶように形成され、
上記内外気切替ドアの上記回動軸は、上記外気導入口及び上記内気導入口の間に配置されていることを特徴とする送風装置。
【請求項３】
請求項１または２に記載の送風装置において、
上記内気導入口は、上記ケーシングの車両左側及び右側の少なくとも一方に開口するように形成されていることを特徴とする送風装置。
【請求項４】
請求項３に記載の送風装置において、
上記内気導入口は、上記ケーシングの車両左側及び右側にそれぞれ開口するように形成され、
上記外気導入口は、上記ケーシングにおける車両左側の上記内気導入口と、車両右側の上記内気導入口との間に形成されていることを特徴とする送風装置。
【発明の詳細な説明】
【技術分野】
【０００１】
本発明は、空調用空気を送風する送風装置に関するものであり、特に、車両に搭載され、車室内の空気と車室外の空気を送風する構造の技術分野に属する。
【背景技術】
【０００２】
一般に、車両用空調装置は、冷却用熱交換器及び加熱用熱交換器の他、これら熱交換器に空調用空気を送風するための送風装置を備えており、送風装置によって送風された空調用空気を冷却用熱交換器及び加熱用熱交換器によって温度調節した後、車室の各部に供給するように構成されている（例えば、特許文献１参照）。
【０００３】
特許文献１の送風装置は、車室外の空気を導入する外気導入口と車室内の空気を導入する内気導入口とが形成されたケーシングを備えている。ケーシングには、外気導入口を開閉する外気ドアと、内気導入口を開閉する内気ドアと、ケーシングの内部を仕切って外気導入口側の空間と内気取入口側の空間とに区画するための通路仕切ドアとが設けられている。さらに、ケーシング内には、外気側独立通路と内気側独立通路とが形成されており、外気側独立通路及び内気側独立通路にはそれぞれ送風ファンが配設され、これら送風ファンは共通のモーターによって駆動されるようになっている。
【０００４】
この送風装置では、外気ドア、内気ドア及び通路仕切ドアの開閉動作により、車室外の空気のみを導入する外気導入モード、車室内の空気のみを導入する内気導入モードの他に、両方の空気を導入する内外気二層流モードにも切り替えられる。内外気二層流モードでは、外気を外気側独立通路に流す一方、内気を内気側独立通路に流すようになっている。この内外気二層流モードは、特に冬場において外気側独立通路を流れる車室外の乾燥した空気をフロントウインドの内面に供給してフロントウインドの曇りを防止しながら、内気側独立通路によって車室内の比較的暖かい空気を循環させて暖房効率を向上させることができる点で有効である。
【先行技術文献】
【特許文献】
【０００５】
【特許文献１】特開２０１３−７８９７９号公報
【発明の概要】
【発明が解決しようとする課題】
【０００６】
ところで、内外気二層流モードを有する送風装置の場合、車室外の空気と車室内の空気の両方をケーシングに導入して流すことになるので、該ケーシングの内部に外気側独立通路及び内気側独立通路を形成する必要がある。特許文献１では、２つの通路として上層通路と下層通路とがケーシングの内部で上下に並ぶように形成されており、それぞれに送風ファンを配設しているため、送風装置の高さを高くせざるを得ず、例えばインストルメントパネルの内部に送風装置を配設する際に、インストルメントパネル内の他の部品等との関係においてレイアウトの自由度が低下するという問題がある。
【０００７】
このことに対して、外気導入口や内気導入口を小さくすることによってケーシングの小型化を図ることが考えられるが、そのようにした場合には、外気導入口や内気導入口の開口面積が狭くなって通気抵抗が増大し、ひいては送風量の低下を招く。
【０００８】
本発明は、かかる点に鑑みてなされたものであり、その目的とするところは、内外気二層流モードを有する送風装置の高さを送風量の低下を招くことなく低くし、送風装置のレイアウト自由度を向上させることにある。
【課題を解決するための手段】
【０００９】
上記目的を達成するために、本発明では、外気導入口及び内気導入口をケーシングの車両前後方向に延びるように形成し、内外気切替ドアの回動軸を車両前後方向に延びるものとした。
【００１０】
第１の発明は、
車室外の空気を空調用空気として導入する外気導入口と、車室内の空気を空調用空気として導入する内気導入口とが形成されたケーシングと、
上記外気導入口及び上記内気導入口を開閉する内外気切替ドアと、
上記内外気切替ドアを駆動するドア駆動装置とを備え、
車両に搭載されて上記空調用空気を送風する送風装置において、
上記ケーシングは、車両前後方向の中間部において前側ケーシング部材と後側ケーシング部材とに分割され、
上記ケーシングの上部には、上記外気導入口に連通する外気導入ダクト部が上方へ突出するとともに車両前側へ延びるように設けられ、
上記外気導入口及び上記内気導入口は、上記ケーシングの車両前後方向に延びるように形成され、
上記内外気切替ドアは、車両前後方向に延びるとともに上記ケーシングに回動可能に支持される回動軸を有し、該回動軸には、上記外気導入口及び上記内気導入口を開閉する開閉板部が設けられ、
上記後側ケーシング部材における車両後側の壁部には、上記空調用空気を濾過するためのフィルタを上記ケーシングの内部に挿入するためのフィルタ挿入孔が上記回動軸よりも下に形成され、
上記ドア駆動装置は、上記内外気切替ドアの上記回動軸に連結されるとともに、上記後側ケーシング部材における車両後側の壁部に取り付けられ、該ドア駆動装置の下端部は、上記フィルタ挿入孔の上縁部よりも上に位置付けられ、
上記送風装置の内部には、上記外気導入口及び上記内気導入口に連通し、空調用空気が流通する第１通路と第２通路とが上下に並ぶように形成され、
上記第１通路及び上記第２通路には、上記空調用空気を送風する第１ファン及び第２ファンが配設されていることを特徴とする。
【００１１】
すなわち、送風装置の車幅方向の側方には空調装置を構成する熱交換器等が配設される場合がある。この場合、送風装置の車両前方や後方には比較的余裕のあるスペースを作ることができ、ケーシングの車両前後方向の寸法を長く確保することが可能になる。本発明では、外気導入口及び内気導入口がケーシングの車両前後方向に延びているので、外気導入口及び内気導入口の上下方向の寸法を短くして送風装置の高さの低減を図る場合に、外気導入口及び内気導入口の車両前後方向の寸法を十分に長く確保して開口面積を広くすることが可能になる。
【００１２】
また、比較的スペースに余裕のあるケーシングの車両後方にドア駆動装置が配設されることになるので、ドア駆動装置のレイアウト自由度が向上する。
【００１３】
また、後側ケーシング部材の後側の壁部にフィルタ挿入孔を形成したことで、フィルタを交換する際には車両後側、つまり、車室の乗員側から容易に交換することが可能になる。
【００１４】
また、ドア駆動装置がケーシングの乗員側に取り付けられる。そして、このドア駆動装置の下端部がフィルタ挿入孔の上縁部よりも上に位置付けられるので、フィルタを交換する際にフィルタがドア駆動装置と干渉することはなく、交換作業性が良好になる。
【００１５】
第２の発明は、第１の発明において、
上記外気導入口及び上記内気導入口が上記ケーシングの車両左右方向に並ぶように形成され、
上記内外気切替ドアの上記回動軸は、上記外気導入口及び上記内気導入口の間に配置されていることを特徴とする。
【００１６】
この構成によれば、内外気切替ドアの回動軸が外気導入口及び内気導入口の間で車両前後方向に延びているので、内外気切替ドアが回動軸周りに車両左右方向に回動し、これにより、外気導入口及び内気導入口が開閉される。
【００１７】
第３の発明は、第１または２の発明において、
上記内気導入口は、上記ケーシングの車両左側及び右側の少なくとも一方に開口するように形成されていることを特徴とする。
【００１８】
この構成によれば、内気導入口が車室側に向けて開口しなくなるので、例えば外気導入口と内気導入口の両方を開いた状態にあるときに、車室外の音が内気導入口から車室の乗員側に届きにくくなる。
【００１９】
第４の発明は、第３の発明において、
上記内気導入口は、上記ケーシングの車両左側及び右側にそれぞれ開口するように形成され、
上記外気導入口は、上記ケーシングにおける車両左側の上記内気導入口と、車両右側の上記内気導入口との間に形成されていることを特徴とする。
【００２０】
この構成によれば、外気導入口をケーシングにおける車両左右方向の中央部に形成することが可能になる。これにより、外気がケーシングの左右方向中央部からスムーズに導入される。
【発明の効果】
【００２１】
第１の発明によれば、送風装置の内部に、外気導入口及び内気導入口に連通する第１通路と第２通路とを上下に並ぶように形成し、第１通路及び第２通路に第１ファン及び第２ファンを配設したので、内外気二層流モードを有する送風装置とすることができる。そして、外気導入口及び内気導入口をケーシングの車両前後方向に延びるように形成し、外気導入口及び内気導入口を開閉する内外気切替ドアが車両前後方向に延びる回動軸を有している。これにより、外気導入口及び内気導入口の上下方向の寸法を短くすることによって送風装置の高さを低減して送風装置のレイアウト自由度を向上させる場合に、外気導入口及び内気導入口の車両前後方向の寸法を十分に長く確保して開口面積を広くすることができ、送風量の低下を抑制できる。
【００２２】
また、ドア駆動装置を、比較的スペースに余裕のあるケーシングの車両後方に配設できるので、ドア駆動装置のレイアウト自由度を向上させることができる。
【００２３】
また、後側ケーシング部材における車両後側の壁部にフィルタ挿入孔を形成したので、フィルタを車室の乗員側から容易に交換することができる。
【００２４】
また、ドア駆動装置を後側ケーシング部材における車両後側の壁部に取り付け、ドア駆動装置の下端部をフィルタ挿入孔の上縁部よりも上に位置付けたので、交換作業時のフィルタがドア駆動装置と干渉するのを防止でき、交換作業性を良好にすることができる。
【００２５】
第２の発明によれば、外気導入口及び内気導入口をケーシングの車両左右方向に並ぶように形成し、内外気切替ドアの回動軸を外気導入口及び内気導入口の間に配置したので、内外気切替ドアを車両左右方向に回動させることによって外気導入口及び内気導入口を開閉することができる。
【００２６】
第３の発明によれば、内気導入口がケーシングの車両左側及び右側の少なくとも一方に開口しているので、内気導入口が車室側に向けて開口しなくなる。これにより、外気導入口と内気導入口の両方を開いたときに、車室外の音が内気導入口から車室の乗員側に届きにくくなり、車室の静粛性を高めることができる。
【００２７】
第４の発明によれば、外気導入口を、ケーシングにおける車両左側の内気導入口と右側の内気導入口との間に形成したので、外気をケーシングの左右方向中央部からスムーズに導入することができ、外気導入時の風量を十分に確保することができる。また、内気は、ケーシングの車両左右両側からそれぞれ導入することができるので、内気導入時の風量も十分に確保することができる。
【図面の簡単な説明】
【００２８】
【図１】実施形態に係る送風装置を車両後側から見た斜視図である。
【図２】内外気切替部の分解斜視図である。
【図３】図１におけるIII−III線断面図である。
【図４】図１におけるIV−IV線断面図であり、外気導入モードにある場合を示す。
【図５】内気導入モードにある場合の図４相当図である。
【図６】内外気導入モードにある場合の図４相当図である。
【図７】内外気二層流モードにある場合の図４相当図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
図１は、本発明の実施形態に係る車両用送風装置１を車両後側、かつ、右上方から見た斜視図である。この実施形態の説明では、車両前側を単に「前」といい、車両後側を単に「後」といい、車両左側を単に「左」といい、車両右側を単に「右」というものとする。
【００３１】
送風装置１は、自動車の車室前端部に配設されているインストルメントパネル（図示せず）の内部に収容されており、図示しないが空調ユニットとともに車両に搭載される車両用空調装置を構成している。送風装置１は車体の左右方向中央部よりも右寄りに配設されている。空調ユニットは、車体の左右方向中央部に配設されている。また、図示しないが、インストルメントパネルにはナビゲーション装置や助手席エアバッグ装置等も配設されている。
【００３２】
空調ユニットは、図示しないが、冷却用熱交換器及び加熱用熱交換器と、温度調節用ダンパと、吹出方向切替用ダンパと、これらを収容するケーシングとを備えている。そして、送風装置１から送風された空調用空気を冷却用熱交換器、加熱用熱交換器及び温度調節用ダンパによって温度調節した後、吹出方向切替用ダンパの動作によって車室の各部に供給することができるように構成されている。この空調ユニットの構成は従来周知のものであるため、詳細な説明は省略する。
【００３３】
（送風装置の全体構成）
送風装置１は、内外気切替部２と、送風部３とを有している。内外気切替部２は、送風装置１の略上半部を構成しており、また、送風部３は、送風装置１の略下半部を構成している。内外気切替部２は、詳細は後述するが、車室外の空気と車室内の空気の一方を導入するモードや、両方を導入するモード等に切り替えるためのものである。送風部３は、内外気切替部２から導入された空調用空気を空調ユニットに送風するためのものである。
【００３４】
（内外気切替部の構成）
次に内外気切替部２の構成について説明する。図２〜図３に示すように、内外気切替部２は、ケーシング１０と、左側内外気切替ドア２０と、右側内外気切替ドア２１と、ドア駆動装置２３と、フィルタ２４とを備えている。ケーシング１０は、該ケーシング１０の前後方向中間部において前側ケーシング部材１１と、後側ケーシング部材１２とに分割されている。前側ケーシング部材１１と後側ケーシング部材１２は共に樹脂材を成形してなるものであり、互いに締結部材等によって締結されて一体化している。このように分割箇所を設定することで、前側ケーシング部材１１の前側の壁部及び後側ケーシング部材１２の後側の壁部には継ぎ目がなくなるので、該各壁部の強度を高めることができる。
【００３５】
ケーシング１０の上部の左側には、左側内気導入口１０ａが該ケーシング１０の前後方向に延びるように、かつ、該ケーシング１０の左側に開口するように形成されている。左側内気導入口１０ａは、ケーシング１０の前端部から後端部に亘って開口している。また、ケーシング１０の上部の右側には、右側内気導入口１０ｂが該ケーシング１０の前後方向に延びるように、かつ、該ケーシング１０の右側に開口するように形成されている。右側内気導入口１０ｂは、ケーシング１０の前端部から後端部に亘って開口している。
【００３６】
この実施形態では、インストルメントパネル内に空調ユニットが送風装置１の側方に並ぶように配設されているので、送風装置１の左右方向両側にはスペースの余裕が殆どなく、送風装置１の左右方向の寸法を短くする必要があり、左右方向に拡大することができない。一方、送風装置１の前後方向には比較的スペースの余裕があるので、送風装置１の前後方向の寸法は長くすることができる。この送風装置１の前後方向に延びるように左側内気導入口１０ａ及び右側内気導入口１０ｂを形成することで、左側内気導入口１０ａ及び右側内気導入口１０ｂの開口面積を十分に広く確保しながら、左側内気導入口１０ａ及び右側内気導入口１０ｂの上下方向の寸法を短くすることができるようになっている。
【００３７】
左側内気導入口１０ａ及び右側内気導入口１０ｂは、車室内に開口するとともに、車室内空間に連通している。従って、左側内気導入口１０ａ及び右側内気導入口１０ｂは車室内の空気を空調用空気として導入する開口である。
【００３８】
ケーシング１０の内部には、該ケーシング１０の内部を左右方向に２つに仕切るための上側仕切壁１３が設けられている。上側仕切壁１３は、上下方向に延びるとともに、前後方向にも延びており、上側仕切壁１３の前端部は、ケーシング１０の前側の壁部の内面と一体化し、上側仕切壁１３の後側の端部は、ケーシング１０の後側の壁部の内面と一体化している。
【００３９】
上側仕切壁１３の上部は左側へ突出している。そして、ケーシング１０の上部における上側仕切壁１３の上方には、左側外気導入口１０ｃと、右側外気導入口１０ｄとが形成されている。左側外気導入口１０ｃ及び右側外気導入口１０ｄは、上側仕切板１３に沿ってケーシングの車両前後方向に延びるように、かつ、上方に向けて開口するように形成されている。左側外気導入口１０ｃ及び右側外気導入口１０ｄは、ケーシング１０の前端部から後端部に亘って開口している。
【００４０】
上述したように送風装置１の前後方向の寸法を長くすることができるので、左側外気導入口１０ｃ及び右側外気導入口１０ｄの開口面積を十分に広く確保しながら、左側外気導入口１０ｃ及び右側外気導入口１０ｄの上下方向の寸法を短くすることができるようになっている。
【００４１】
左側外気導入口１０ｃ及び右側外気導入口１０ｄは、ケーシング１０における左側内気導入口１０ａと右側内気導入口１０ｂとの間で、互いに左右に隣り合うように形成されることになり、ケーシング１０の上壁部において左右方向の略中央部に開口する。従って、左側内気導入口１０ａ、左側外気導入口１０ｃ、右側外気導入口１０ｄ及び右側内気導入口１０ｂは、ケーシング１０の上壁部において左右方向に並ぶように形成されることになる。
【００４２】
ケーシング１０の上部には、左側外気導入口１０ｃ及び右側外気導入口１０ｄに連通する外気導入ダクト部１４が設けられている。外気導入ダクト部１４は、ケーシング１０の上壁部において、左側内気導入口１０ａと右側内気導入口１０ｂとの間の部位から上方へ突出するとともに、前側へ延びており、その前端部において開口している。外気導入ダクト部１４の断面積は、前側へ行くに従って拡大している。
【００４３】
外気導入ダクト部１４の後部は、後側ケーシング部材１２に一体成形される。また、外気導入ダクト部１４の前部は、前側ケーシング部材１１に一体成形される。外気導入ダクト部１４の前端部の開口は、図示しないが車体に設けられたカウルの外気取入口に接続されている。従って、左側外気導入口１０ｃ及び右側外気導入口１０ｄは、車室外の空気を空調用空気として導入する開口である。
【００４４】
左側内外気切替ドア２０は、左側内気導入口１０ａと左側外気導入口１０ｃを開閉するためのロータリーダンパであり、前後方向に延びるとともにケーシング１０の前側の壁部及び後側の壁部に回動可能に支持される回動軸２０ａを有している。左側内外気切替ドア２０の回動軸２０ａは、左側内気導入口１０ａ及び左側外気導入口１０ｃの間に配置されている。左側内外気切替ドア２０の回動軸２０ａには、軸方向の両側（前側及び後側）に径方向に突出する端壁部２０ｂがそれぞれ設けられている。端壁部２０ｂ、２０ｂの突出方向先端部には、両端壁部２０ｂ、２０ｂを連結するように軸方向に延びる開閉板部２０ｃが設けられている。左側内外気切替ドア２０が回動軸２０ａ周りに回動することにより、開閉板部２０ｃが左側内気導入口１０ａ及び左側外気導入口１０ｃを開閉する。
【００４５】
右側内外気切替ドア２１は、右側内気導入口１０ｂと右側外気導入口１０ｄを開閉するためのロータリーダンパであり、前後方向に延びるとともにケーシング１０の前側の壁部及び後側の壁部に回動可能に支持される回動軸２１ａを有している。右側内外気切替ドア２１の回動軸２１ａは、左側内外気切替ドア２０の回動軸２０ａと略平行に延びており、右側内気導入口１０ｂと右側外気導入口１０ｄの間に配置されている。右側内外気切替ドア２１の回動軸２１ａには、軸方向の両側（前側及び後側）に径方向に突出する端壁部２１ｂがそれぞれ設けられている。端壁部２１ｂ、２１ｂの突出方向先端部には、両端壁部２１ｂ、２１ｂを連結するように軸方向に延びる開閉板部２１ｃが設けられている。右側内外気切替ドア２１が回動軸２１ａ周りに回動することにより、開閉板部２１ｃが右側内気導入口１０ｂと右側外気導入口１０ｄを開閉する。
【００４６】
この実施形態では、左側内気導入口１０ａと左側外気導入口１０ｃを開閉する左側内外気切替ドア２０と、右側内気導入口１０ｂと右側外気導入口１０ｄを開閉する右側内外気切替ドア２１とを設けているので、左側内気導入口１０ａと左側外気導入口１０ｃの開閉と、右側内気導入口１０ｂと右側外気導入口１０ｄの開閉とを独立して行うことができる。
【００４７】
尚、左側内外気切替ドア２０及び右側内外気切替ドア２１は、ロータリーダンパ以外にも板ダンパ等で構成してもよい。
【００４８】
図４に示すように、左側内外気切替ドア２０が左側内気導入口１０ａを全閉にし、かつ、左側外気導入口１０ｃを全開にし、右側内外気切替ドア２１が右側内気導入口１０ｂを全閉にし、かつ、右側外気導入口１０ｄを全開にすると、外気のみが空調用空気として導入される外気導入モードとなる。
【００４９】
図５に示すように、左側内外気切替ドア２０が左側内気導入口１０ａを全開にし、かつ、左側外気導入口１０ｃを全閉にし、右側内外気切替ドア２１が右側内気導入口１０ｂを全開にし、かつ、右側外気導入口１０ｄを全閉にすると、内気のみが空調用空気として導入される内気導入モードとなる。
【００５０】
図６に示すように、左側内外気切替ドア２０が左側内気導入口１０ａ及び左側外気導入口１０ｃを開き、右側内外気切替ドア２１が右側内気導入口１０ｂ及び右側外気導入口１０ｄを開くと、外気と内気の両方が空調用空気として導入される内外気導入モードとなる。
【００５１】
図７に示すように、左側内外気切替ドア２０が左側内気導入口１０ａを全閉にし、かつ、左側外気導入口１０ｃを全開にし、右側内外気切替ドア２１が右側内気導入口１０ｂを全開にし、かつ、右側外気導入口１０ｄを全閉にすると、ケーシング１０の左側には外気が導入され、右側には内気が導入される内外気二層流モードとなる。
【００５２】
図１に示すドア駆動装置２３は、左側内外気切替ドア２０及び右側内外気切替ドア２１を駆動する電動アクチュエータで構成されている。ドア駆動装置２３は、ケーシング１０の後側の壁部に締結部材等によって着脱可能に取り付けられている。
【００５３】
図２及び図３に示すように、ドア駆動装置２３の出力軸は、リンク機構２５を介して左側内外気切替ドア２０の回動軸２０ａ及び右側内外気切替ドア２１の回動軸２１ａに連結されている。リンク機構２５は、１つの出力を左側内外気切替ドア２０の回動軸２０ａ及び右側内外気切替ドア２１の回動軸２１ａに伝達するように構成されており、基本的な構造は従来から周知のものである。すなわち、リンク機構２５は、左側内外気切替ドア２０の回動軸２０ａの後端部に固定されて径方向に突出する第１リンク２５ａと、右側内外気切替ドア２１の回動軸２１ａの後端部に固定されて径方向に突出する第２リンク２５ｂと、第１リンク２５ａ及び第２リンク２５ｂに係合するカム溝（図示せず）が形成されたメインリンク２５ｃとを有している。メインリンク２５ｃは、ケーシング１０の後側の壁部の上部に後方へ突出するように形成された軸部１０ｅに対して回動可能に支持されている。ドア駆動装置２３は、メインリンク２５ｃを軸部１０ｅ周りに回動させるように構成されている。
【００５４】
メインリンク２５ｃには、第１リンク２５ａが係合するカム溝と、第２リンク２５ｂが係合するカム溝とがそれぞれ形成されており、これらカム溝の形状によって第１リンク２５ａ及び第２リンク２５ｂを個別に動かすことができるようになっている。そして、ドア駆動装置２３を作動させてメインリンク２５ｃを回動させると、左側内外気切替ドア２０及び右側内外気切替ドア２１が回動して、図４に示す外気導入モード、図５に示す内気導入モード、図６に示す内外気導入モード及び図７に示す内外気二層流モードに適宜切り替えられる。尚、図６に示す内外気導入モードでは、左側内外気切替ドア２０及び右側内外気切替ドア２１の回動角度を微妙に変えて内気導入量と外気導入量を変更することができるようになっている。
【００５５】
尚、この実施形態では、ドア駆動装置２３及びリンク機構２５をケーシング１０の後側の壁部に取り付けているが、これに限らず、ケーシング１０の前側の壁部に取り付けてもよい。この場合、リンク機構２５の第１リンク２５ａを左側内外気切替ドア２０の回動軸２０ａの前端部に固定し、また、第２リンク２５ｂを右側内外気切替ドア２１の回動軸２１ａの前端部に固定すればよい。
【００５６】
ドア駆動装置２３は、図示しないが空調制御装置に接続されて該空調制御装置によって制御される。空調制御装置は、車室内温度、車室外温度、乗員の設定温度、車室内の湿度等を各種センサで検出し、その検出結果に基づいて所定の演算を行い、演算結果に従ってドア駆動装置２３を制御する。具体的には、例えば暖房が要求されている時には、図６に示す内外気導入モードや図７に示す内外気二層流モードとなるようにドア駆動装置２３を制御する。また、空調制御装置には、乗員によって操作される内外気切替スイッチ（図示せず）も接続されており、内外気切替スイッチの操作状態を検出して乗員が手動で外気導入モードを選択した場合には、図４に示す外気導入モードとなるようにドア駆動装置２３を制御し、内気導入モードを選択した場合には、図５に示す内気導入モードとなるようにドア駆動装置２３を制御する。また、導入モードを自動制御する場合、例えば冷房時には、冷房効率を考慮して図５に示す内気導入モードとなるようにドア駆動装置２３を制御する。
【００５７】
尚、この実施形態では、１つのドア駆動装置２３で左側内外気切替ドア２０と右側内外気切替ドア２１を連動させるようにしているが、これに限らず、図示しないが２つのドア駆動装置２３を設けて左側内外気切替ドア２０と右側内外気切替ドア２１を別のドア駆動装置２３で駆動するようにしてもよい。
【００５８】
図２に示すように、ケーシング１０の後側の壁部には、空調用空気を濾過するためのフィルタ２４をケーシング１０の内部に挿入するためのフィルタ挿入孔１０ｆが形成されている。フィルタ挿入孔１０ｆは、左右方向に長い略矩形状に形成されている。フィルタ２４は、略水平に延びる板状をなしており、左側内気導入口１０ａ、右側内気導入口１０ｂ、左側外気導入口１０ｃ及び右側外気導入口１０ｄから導入された空調用空気の全てを濾過する。フィルタ２４を構成する濾過材としては、例えば不織布等をプリーツ状に成形したものを使用することができる。フィルタ挿入孔１０ｆの蓋はフィルタ２４の外面部（後面部）によって構成されている。これにより、フィルタ２４をフィルタ挿入孔１０ｆに挿入することによってフィルタ挿入孔１０ｆを閉塞することができる。また、内外気切替部２の下部は開放されており、この開放部分にフィルタ２４が配置される。
【００５９】
また、ドア駆動装置２３の下端部は、フィルタ挿入孔１０ｆの上縁部よりも上に位置付けられている。これにより、フィルタ挿入孔１０ｆにフィルタ２４を挿入するとき、及びフィルタ挿入孔１０ｆからフィルタ２４を抜くときにフィルタ２４がドア駆動装置２３に干渉することはない。また、同様に、リンク機構２５の下端部は、フィルタ挿入孔１０ｆの上縁部よりも上に位置付けられている。
【００６０】
（送風部の構成）
次に送風部３の構成について説明する。図３及び図４に示すように、送風部３は、上側ファン（第１ファン）４０及び下側ファン（第２ファン）４１と、これら上側ファン４０及び下側ファン４１を回転駆動するファンモーター４３と、上側ファン４０及び下側ファン４１を収容する樹脂製のスクロールケーシング４４とを有している。上側ファン４０及び下側ファン４１は遠心式ファン（シロッコファン）である。この実施形態では、上側ファン４０の直径を下側ファン４１の直径よりも若干小さく設定しているが、同じにしてもよい。また、上側ファン４０及び下側ファン４１を一体にすることも可能である。
【００６１】
スクロールケーシング４４が内外気切替部２のケーシング１０と結合されている。スクロールケーシング４４の上部には、内外気切替部２の下部に連通する連通孔４４ａが形成されており、内外気切替部２の左側内気導入口１０ａ、右側内気導入口１０ｂ、左側外気導入口１０ｃ及び右側外気導入口１０ｄからケーシング１０の内部に導入された空調用空気は全てスクロールケーシング４４に流入するようになっている。
【００６２】
図４に示すように、スクロールケーシング４４の上部には、連通孔４４ａを前後方向に横切るように延びる下側仕切壁４４ｂが形成されている。下側仕切壁４４ｂは、スクロールケーシング４４の内部を左右方向に２つに仕切るためのものであり、上下方向に延び、上方から見たとき、内外気切替部２の上側仕切壁１３と重複するように配置されている。下側仕切壁４４ｂの前端部は、スクロールケーシング４４の前側の壁部の内面と一体化し、下側仕切壁４４ｂの後端部は、スクロールケーシング４４の後側の壁部の内面と一体化している。下側仕切壁４４ｂの上端部は、フィルタ２４の内部に達している。
【００６３】
スクロールケーシング４４の内部には、左側内気導入口１０ａ及び左側外気導入口１０ｃに連通し、空調用空気が流通する上層通路（第１通路）４５と、右側内気導入口１０ｂ及び右側外気導入口１０ｄに連通し、空調用空気が流通する下層通路（第２通路）４６とが上下に並ぶように形成されている。
【００６４】
上層通路４５の上端部（上流端部）は、連通孔４４ａにおける下側仕切壁４４ｂよりも左側の領域に上側ベルマウス開口部４４ｃを介して接続されている。この上層通路４５の上流側に、上側ファン４０が、その回転中心線を上下方向に向けた状態で配設されている。上側ファン４０は、上層通路４５の内部の空調用空気を送風するためのものである。上層通路４５の下流側は左側へ延びており、上層通路４５の下流端部はスクロールケーシング４４の左側壁部に開口している。上層通路４５の下流端部には空調ユニットが接続されている。上層通路４５を流通した空調用空気は、空調ユニットの内部で主にデフロスタ吹出口（フロントウインドの内面）に向けて送風される。
【００６５】
下層通路４６の上流端部は、接続通路４７を介して連通孔４４ａにおける下側仕切壁４４ｂよりも右側の領域に接続されている。接続通路４７は、連通孔４４ａの右側の領域からスクロールケーシング４４の内部を下方へ延びた後、左側へ延びており、該接続通路４７の下流端が下側ベルマウス開口部４４ｄを介して下層通路４６に接続されている。この下層通路４６の上流側に、下側ファン４１が、その回転中心線を上下方向に向けた状態で配設されている。下側ファン４１は、下層通路４６の内部の空調用空気を送風するためのものである。下側ファン４１の回転中心線と上側ファン４０の回転中心線とは略一致するように配置されている。また、下層通路４６の下流側は上層通路４５の下方を左側へ延びており、下層通路４６の下流端部はスクロールケーシング４４の左側壁部に開口している。下層通路４６の下流端部には空調ユニットが接続されている。下層通路４６を流通した空調用空気は、空調ユニットの内部で主にヒート吹出口（乗員の足下近傍）に向けて送風される。
【００６６】
ファンモーター４３は、スクロールケーシング４４の底壁部に取り付けられている。ファンモーター４３の出力軸は、スクロールケーシング４４の内部へ突出しており、この出力軸には、上側ファン４０及び下側ファン４１が固定されている。
【００６７】
（実施形態の作用効果）
図４に示す外気導入モードでは、左側外気導入口１０ｃ及び右側外気導入口１０ｄが全開になり、矢印で示すように左側外気導入口１０ｃ及び右側外気導入口１０ｄから外気のみが空調用空気として導入され、フィルタ２４によって濾過される。左側外気導入口１０ｃから導入された外気は、上側ベルマウス開口部４４ｃを通って上層通路４５を流通し、右側外気導入口１０ｄから導入された外気は、下側ベルマウス開口部４４ｄを通って下層通路４６を流通する。このとき、左側外気導入口１０ｃ及び右側外気導入口１０ｄがケーシング１０の左右方向の中央部に位置しているので、外気をケーシング１０の左右方向中央部からスムーズに導入することができ、送風量を十分に確保することができる。
【００６８】
また、外気導入モードでは、左側内外気切替ドア２０の開閉板部２０ｃが左へ回動していて、下側へ行くほど左に位置するように傾斜している。これにより、左側外気導入口１０ｃから導入された外気が左側内外気切替ドア２０の開閉板部２０ｃによって下方へ案内されるので、このことによっても外気の流れをスムーズにすることができる。また、右側内外気切替ドア２１の開閉板部２１ｃが右へ回動していて、下側へ行くほど右に位置するように傾斜しているので、右側外気導入口１０ｄから導入された外気を右側内外気切替ドア２１の開閉板部２１ｃによって下方へ案内することができる。
【００６９】
図５に示す内気導入モードでは、左側内気導入口１０ａ及び右側内気導入口１０ｂが全開になり、矢印で示すように左側内気導入口１０ａ及び右側内気導入口１０ｂから内気のみが空調用空気として導入され、フィルタ２４によって濾過される。左側内気導入口１０ａから導入された内気は、上側ベルマウス開口部４４ｃを通って上層通路４５を流通し、右側内気導入口１０ｂから導入された内気は、下側ベルマウス開口部４４ｄを通って下層通路４６を流通する。このとき、左側内気導入口１０ａ及び右側内気導入口１０ｂがケーシング１０の左右両側にそれぞれ形成されているので、内気の流れをケーシング１０の左右方向中央部へ向けることができ、内気をスムーズに導入することができる。
【００７０】
また、内気導入モードでは、左側内外気切替ドア２０の開閉板部２０ｃが右へ回動している。これにより、左側内気導入口１０ａから導入された内気が左側内外気切替ドア２０の開閉板部２０ｃによって下方へ案内される。また、右側内外気切替ドア２１の開閉板部２１ｃが左へ回動しているので、右側内気導入口１０ｂから導入された内気が右側内外気切替ドア２１の開閉板部２１ｃによって下方へ案内される。
【００７１】
図６に示す内外気導入モードでは、左側内気導入口１０ａ、右側内気導入口１０ｂ、左側外気導入口１０ｃ及び右側外気導入口１０ｄが開き、内気及び外気が空調用空気として導入され、上層通路４５及び下層通路４６を流通する。このとき、左側内気導入口１０ａ及び右側内気導入口１０ｂがケーシング１０の左右両側にそれぞれ形成されているので、左側内気導入口１０ａ及び右側内気導入口１０ｂが車室側（後側）に向けて開口しなくなる。これにより、車室外の音が左側内気導入口１０ａ及び右側内気導入口１０ｂから車室の乗員側に届きにくくなり、車室の静粛性を高めることができる。
【００７２】
また、内外気導入モードでは、外気が上方からケーシング１０に流入し、内気が側方からケーシング１０に流入するので、ケーシング１０に流入する前に外気の流れと内気の流れとが干渉し難くなる。
【００７３】
図７に示す内外気二層流モードでは、左側外気導入口１０ｃから導入された外気が上側ベルマウス開口部４４ｃを通って上層通路４５を流通し、右側内気導入口１０ｂから導入された内気が下側ベルマウス開口部４４ｄを通って下層通路４６を流通する。矢印で示すように、左側外気導入口１０ｃから導入された外気の流れの方向と、右側内気導入口１０ｂから導入された内気の流れの方向とは略同じ方向となるが、上側仕切壁１３及び下側仕切壁４４ｂを設けていることで外気の流れと内気の流れとが干渉し合うことはない。よって、内外気二層流モードで内気と外気をスムーズに流すことができる。
【００７４】
そして、上層通路４５を流通した外気はフロントウインドの内面に供給されるので、フロントウインドの曇りを抑制できる。一方、内気は下層通路４６を流通させて車室を循環させることができるので、暖房効率を向上させることができる。このモードにおいても、車室外の音が右側内気導入口１０ｂから車室の乗員側に届きにくくなり、車室の静粛性を高めることができる。
【００７５】
さらに、この実施形態では、インストルメントパネルの内部において、送風装置１の左側に空調ユニットが配設されるので、送風装置１の側方にはスペースの余裕が少ない反面、送風装置１の前方や後方には比較的余裕のあるスペースを作ることができるようになっている。これにより、送風装置１のケーシング１０の前後方向の寸法を長く確保することができる。そして、左側内気導入口１０ａ、左側外気導入口１０ｃ、右側内気導入口１０ｂ及び右側外気導入口１０ｄがケーシング１０の前後方向に延びているので、左側内気導入口１０ａ、左側外気導入口１０ｃ、右側内気導入口１０ｂ及び右側外気導入口１０ｄの上下方向の寸法を短くして送風装置１の高さの低減を図る場合に、左側内気導入口１０ａ、左側外気導入口１０ｃ、右側内気導入口１０ｂ及び右側外気導入口１０ｄの車両前後方向の寸法を十分に長く確保して開口面積を広くすることが可能になる。これにより、送風装置１のレイアウト自由度を向上させながら、送風量の低下を抑制できる。左側内気導入口１０ａ、左側外気導入口１０ｃ、右側内気導入口１０ｂ及び右側外気導入口１０ｄの上下方向の寸法を短くすることで、左側内外気切替ドア２０及び右側内外気切替ドア２１の上下方向の寸法も短くできる。
【００７６】
また、ドア駆動装置２３を、比較的スペースに余裕のあるケーシング１０の後側に配設できるので、ドア駆動装置２３のレイアウト自由度を向上させることができる。
【００７７】
また、後側ケーシング部材１２における後側の壁部にフィルタ挿入孔１０ｆを形成したので、フィルタ２４を車室の乗員側から容易に交換することができる。
【００７８】
また、ドア駆動装置２３の下端部をフィルタ挿入孔１０ｆの上縁部よりも上に位置付けたので、交換作業時のフィルタ２４がドア駆動装置２３と干渉するのを防止でき、交換作業性を良好にすることができる。
【００７９】
また、左側内気導入口１０ａ及び左側外気導入口１０ｃをケーシング１０の左右方向に並ぶように形成し、左側内外気切替ドア２０の回動軸２０ａを左側内気導入口１０ａ及び左側外気導入口１０ｃの間に配置したので、左側内外気切替ドア２０を左右方向に回動させることによって左側内気導入口１０ａ及び左側外気導入口１０ｃを開閉することができる。
【００８０】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００８１】
以上説明したように、本発明に係る送風装置は、車両用空調装置の送風機として利用することができる。
【符号の説明】
【００８２】
１            送風装置
１０          ケーシング
１０ａ        左側内気導入口
１０ｂ        右側内気導入口
１０ｃ        左側外気導入口
１０ｄ        右側外気導入口
１０ｆ        フィルタ挿入孔
１１          前側ケーシング部材
１２          後側ケーシング部材
２０          左側内外気切替ドア
２０ａ        回動軸
２０ｃ        開閉板部
２１          右側内外気切替ドア
２１ａ        回動軸
２１ｃ        開閉板部
２３          ドア駆動装置
【図１】
0006604792.tif 000002
【図２】
0006604792.tif 000003
【図３】
0006604792.tif 000004
【図４】
0006604792.tif 000005
【図５】
0006604792.tif 000006
【図６】
0006604792.tif 000007
【図７】
0006604792.tif 000008